(57)【特許請求の範囲】
【請求項１】
電子部品を実装すべき基板にクリーム半田を印刷するクリーム半田印刷機において、
前記基板を下から支持した状態で位置決めされた前記基板を吸着して固定する基板吸着手段と、
該基板吸着手段上の基板の側縁に当接して基板の位置を決める基準部材と、
前記基板吸着手段上の前記基板を前記基準部材に向って移動させて前記基板を前記基準部材に当接させる基板位置決め手段とを備え、
該基板位置決め手段が前記基板の上面に当接して、前記基板を前記基準部材側に押して前記基板を移動させることを特徴とするクリーム半田印刷機。
【請求項２】
前記基板位置決め手段が前記基板上面に外周面を当接させて回転する駆動ローラと、前記駆動ローラを前記基板上面に押しつける押圧手段と、該駆動ローラを回転駆動する回転駆動手段とを備え、
前記ローラを前記基板上面に押しつけた状態で回転させることにより、前記基板を前記基準部材に向って移動させることを特徴とする請求項１記載のクリーム半田印刷機。
【請求項３】
前記基板位置決め手段が前記基板上面に当接する当接体と、前記当接体を前記基板上面に押しつける押圧手段と、前記当接体を前記基準部材に向って移動させる移動手段とを備え、
前記当接体を前記基板上面に押しつけた状態で、前記当接体を前記基準部材に向って移動させることにより、前記基板を前記基準部材に向って移動させることを特徴とする請求項１記載のクリーム半田印刷機。
【請求項４】
前記当接体が回転自在な従動ローラとされ、
該従動ローラの回転を所定の外力が作用するまで規制する規制手段を備え、
前記従動ローラが前記基板上面に押しつけられて移動させられることにより、前記基板が移動している間は前記従動ローラの回転を規制し、かつ、前記基板が前記基準部材に当接して移動が停止した際に前記従動ローラを回転させるように前記規制手段が前記従動ローラの回転を規制していることを特徴とする請求項３記載のクリーム半田印刷機。
【請求項５】
前記基板吸着手段の上面部に前記基板を吸着するために空気を吸引する吸引口が形成され、
前記基板吸着手段上で前記基板を移動させる際に、前記吸引口から空気を吹き出す空気吹出手段を備えることを特徴とする請求項１〜４のいずれか一つに記載のクリーム半田印刷機。
【発明の詳細な説明】
【０００１】
【発明の属する技術分野】
本発明は、クリーム半田印刷機に関する。
【０００２】
【従来の技術】
プリント基板に電子部品を実装する際に、あらかじめ基板の所定箇所に、印刷によってクリーム半田を塗布する場合がある。このような印刷には、所定パターンの開口部を有するマスクを基板の上面に密着させ、このマスク上面にスキージを所定の力で押し付けた状態で、マスク上面に沿ってスキージを摺動させることにより、マスク上面に供給した塗布材を、マスクの開口部から基板上面に押し出して塗布するクリーム半田印刷機が用いられる。このような印刷機は、基板に正確に印刷が行われるように、所定の場所に基板をセッティングするための基板位置決め装置を備えている。
【０００３】
クリーム半田印刷機に備えられた基板位置決め装置６５は、図５（ａ）に示すように、図示しない真空発生装置を備えた基板吸引装置６７と、基板吸引装置６７の一方の側方に設けられたプッシャ６１と、基板吸引装置６７の他方の側方に設けられた基準ブロック１９からなる。プッシャ６１は、エアシリンダー（又は電動モータ等）により駆動されるものである。基板吸引装置６７の上面は、搬送されてきた基板１０が吸引される吸引面１８となっており、吸引面１８には基板吸引装置６７の内部に連通する複数の吸引口１８ａ、１８ａ・・・が設けられている。
クリーム半田印刷機に備えられた搬送手段により基板吸引装置６７に搬送されてきた基板１０は、吸引面１８上に載せられる。所定の位置に設けられた基準ブロック１９に基板１０の縁部１０ｂが当接するように、もう一方の縁部１０ｃをプッシャ６１が押す。基板１０の位置が決められた後、基板吸引装置６７に接続された図示しない真空発生装置が作動して基板吸引装置６７内が減圧になり、吸引口１８ａ、１８ａ・・・より吸引された基板１０が、吸引面１８上に固定される。
なお、図５において基板１０の搬送方向は紙面の奥から手前であり、プッシャ６１が基板１０を押す方向は、紙面左から右である。
【０００４】
【発明が解決しようとする課題】
従来の基板位置決め装置６５によると、基板１０が基準ブロック１９に押し当てられたとき、基準ブロック１９に当接する基板１０の縁部１０ｂと反対側の縁部１０ｃに、基板１０の面に対して平行な力がプッシャ６１によって加えられる。よって、基板１０が基準ブロック１９に当接する際は、基板１０の両縁部に力がかかることになる為、基板１０が、例えば比較的大きな柔軟性や可撓性を有したものである場合、図５（ｂ）に示すように撓んでしまう可能性があり、基板吸引装置６７の吸引面１８と基板１０の間に隙間Ｗができてしまう。このように隙間Ｗが出来てしまうと、隙間Ｗからエアーが漏れ、基板吸引装置６７は基板１０を吸引することができず、基板１０が固定されないので位置決めが正確に行われないという問題があった。
【０００５】
本発明の課題は、基板の種類によらず、確実に基板の位置決めを行うことが可能な基板位置決め装置を備えたクリーム半田印刷機を提供することにある。
【０００６】
【課題を解決するための手段】
以上の課題を解決するため、請求項１に記載の発明は、例えば図１、図３、図４に示すように、
電子部品を実装すべき基板（１０）にクリーム半田を印刷するクリーム半田印刷機において、
前記基板を下から支持した状態で位置決めされた前記基板を吸着して固定する基板吸着手段（基板吸引装置３）と、
該基板吸着手段上の基板の側縁に当接して基板の位置を決める基準部材（基準ブロック１９）と、
前記基板吸着手段上の前記基板を前記基準部材に向って移動させて前記基板を前記基準部材に当接させる基板位置決め手段（押し付けローラ１１、５３、クランプパット２２）とを備え、
該基板位置決め手段が前記基板の上面（１０ａ）に当接して、前記基板を前記基準部材側に押して前記基板を移動させることを特徴とする。
【０００７】
請求項１に記載の発明によれば、基板位置決め手段が基板の上面に当接して、基準部材側に押して基板を移動させる。従って、基板は基準部材に当接するまで上から基板位置決め手段により押さえられているので、柔軟性を持つ基板でも撓むことがなく、確実に基板吸着手段に吸着され、所定の位置に固定される。
【０００８】
請求項２に記載の発明は、請求項１に記載のクリーム半田印刷機において、
前記基板位置決め手段が前記基板上面に外周面を当接させて回転する駆動ローラ（押し付けローラ１１）と、前記駆動ローラを前記基板上面に押しつける押圧手段（昇降装置１５）と、該駆動ローラを回転駆動する回転駆動手段（押し付けローラ駆動モータ１２）とを備え、
前記ローラを前記基板上面に押しつけた状態で回転させることにより、前記基板を前記基準部材に向って移動させることを特徴とする。
【０００９】
請求項２に記載の発明によれば、駆動ローラは、基板上面の所定の位置を押さえて、回転しながら基板を移動させる。従って、基板が移動するときには基板の上から力がかけられているため、例えば可撓性を有する基板でも、撓むことはない。よって、基板と基板吸引装置の間に隙間はできないので、基板は基板吸引装置に確実に吸引され、正確な位置に固定される。
【００１０】
請求項３に記載の発明は、請求項１に記載のクリーム半田印刷機において、
前記基板位置決め手段が前記基板上面に当接する当接体（クランプパット２２）と、前記当接体を前記基板上面に押しつける押圧手段（クランプパット昇降装置２１）と、前記当接体を前記基準部材に向って移動させる移動手段（クランプユニット移動用モータ２３）とを備え、
前記当接体を前記基板上面に押しつけた状態で、前記当接体を前記基準部材に向って移動させることにより、前記基板を前記基準部材に向って移動させることを特徴とする。
【００１１】
請求項３に記載の発明によれば、当接体は基板と当接体との間の摩擦力を利用して、所定の基準部材に突き当たるまで基板を移動させる。つまり、基板は移動する間、上から当接体により押さえられていることになる。従って基板は撓むことがなく、基板吸着手段との間にも隙間が出来ないので確実に吸引され、所定の位置に固定される。
また、当接体は基板上面の所定の一箇所のみを押さえ基板上を移動しないので、例えば基板に複雑な配線パターンが施されていても、影響の少ない箇所を一箇所選んでその場所を押さえることができる。従って、対応できる基板の幅が広がる。
【００１２】
請求項４に記載の発明は、請求項３に記載のクリーム半田印刷機において、
前記当接体が回転自在な従動ローラ（押し付けローラ５３）とされ、
該従動ローラの回転を所定の外力が作用するまで規制する規制手段（摩擦板２５）を備え、
前記従動ローラが前記基板上面に押しつけられて移動させられることにより、前記基板が移動している間は前記従動ローラの回転を規制し、かつ、前記基板が前記基準部材に当接して移動が停止した際に前記従動ローラを回転させるように前記規制手段が前記従動ローラの回転を規制していることを特徴とする。
【００１３】
請求項４に記載の発明によれば、所定の外力が作用するまで規制する規制手段を備えた回転自在な従動ローラを備えているので、従動ローラを基板上面に押し付けて基板を移動させる際は、従動ローラと規制手段との間の規制力（摩擦力）の方が、従動ローラと基板間の摩擦力よりも大きいので従動ローラは回転せず、基板と共に移動する。
基準部材に当接して移動が停止した際には、従動ローラの回転しようとする力が規制手段と従動ローラ間の摩擦力よりも大きくなるので、従動ローラは回転する。従って、位置決め後に基板上面を従動ローラが擦ることがないので基板にかける負担は少なく、種々の基板に対応できる。
【００１４】
請求項５に記載の発明は、請求項１〜４のいずれか一つに記載のクリーム半田印刷機において、
前記基板吸着手段の上面部（吸引面１８）に前記基板を吸着するために空気を吸引する吸引口（１８ａ）が形成され、
前記基板吸着手段上で前記基板を移動させる際に、前記吸引口から空気を吹き出す空気吹出手段（真空発生装置４０）を備えることを特徴とする。
【００１５】
請求項５に記載の発明によれば、空気吹出手段は、基板が基板吸着手段上を移動する際には吹き出し動作を行うため、基板吸着手段と基板との間の摩擦を減らすことができる。従って、基板は基板吸着手段上をスムーズに移動することができる。
【００１６】
【発明の実施の形態】
以下、本発明の実施の形態を図１から図４に基づいて詳細に説明する。図１〜図４において、従来の図５と同様の構成要素については同符合を付して説明を簡略化する。
〔第１の実施の形態〕
【００１７】
図１は、クリーム半田印刷機に備えられた本発明の一例としての、基板位置決め装置１の要部を示した模式図である。基板位置決め装置１は、基板移動装置２と基板吸引装置３（基板吸着手段）等から概略構成される。
【００１８】
基板移動装置２は、基板１０を所定位置まで移動させるもので、前後２本のガイドレール４（図１では一方のみ図示）と、ガイドレール４と平行に設けられたローラユニット移動用リードスクリュー５と、ガイドレール４に沿って水平方向に往復移動可能なローラユニット７と、リードスクリュー５を回転させてローラユニット７を移動させるローラユニット移動用モータ６からなる。
ガイドレール４は、クリーム半田印刷機の図示しない搬送機構の搬送経路と直交し、かつ、基板吸引装置３の上方に配置される図示しないマスクの前後側方に配置される。ローラユニット７の移動体７ａには、左右に延出して前記ガイドレール４に沿って、移動自在にガイドレール４に係合する係合腕部７ｂ、７ｂと、リードスクリュー５に螺合して、リードスクリュー５の回転によりローラユニット７を移動させるための図示しない螺合部とを備える。
また、ローラユニット７の移動体７ａには、支持部材８がピン９で回転自在に取り付けられており、支持部材８の下方には、クリーム半田印刷機の搬送手段により搬送されてきた基板１０の上面１０ａを押し付ける押し付けローラ１１（駆動ローラ）が、上方には押し付けローラ駆動モータ１２（回転駆動手段）が取り付けられている。押し付けローラ１１と押し付けローラ駆動モータ１２は、押し付けローラ１１と同軸上に設けられたプーリー１１ａと、押し付けローラ駆動モータ１２の駆動軸上に設けられた駆動プーリー１２ａとが無端ベルト１３により伝動されている。
【００１９】
支持部材８の中央には、バネを備えるローラ重量バランサー１４の一端部が留められており、ローラ重量バランサー１４の他端部はローラユニット７の移動体７ａの上縁部に取り付けられている。支持部材８は、ローラ重量バランサー１４によって一側方（図１における上方向）に付勢された状態となっており、押し付けローラ１１の重量により下がらないようになっている。
支持部材８の左端部には昇降装置１５（押圧手段）の一端がピン１６で取り付けられており、もう一方はローラユニット７にピン１７で取り付けられている。昇降装置１５は、シリンダーにより駆動されるものであり、昇降装置１５に接続された支持部材８の左端部は、ピン９を軸として上下に揺動する。また、昇降装置１５は、電動モータ等のシリンダー以外のアクチュエータに駆動されてもよい。
【００２０】
基板吸引装置３の上面は複数の吸引口１８ａ、１８ａ・・・が設けられた吸引面１８（上面部）となっており、基板吸引装置３には、吸引面１８に搬送されてきた基板１０を吸引して固定するための真空発生装置４０（空気吹出手段）が接続されている。基板吸引装置３の一方の側方には、基板１０の縁部１０ｂが当接する基準ブロック１９が設けられている。
【００２１】
真空発生装置４０の回路図を図１、図２に示す。この真空発生装置４０は、エアーを吸引する機構と吹き出す機構を両方備えており、電磁切換え弁により切り換えられるようになっている。
真空発生装置４０は、吸引動作と吹出し動作の切り換えを行う吸引／吹出し切換え弁３１、吸引動作の入、切を行う吸引入／切弁３２、真空状態を作り出す真空生成装置３３、排気機構である消音器３４、圧縮したエアーを発生させる圧縮エアー源３６、絞り作用によって流量を規制する吹出量調整絞り弁３５などから構成される。真空生成装置３３は、圧縮されたエアーを幅の狭い場所から広い場所へ勢いよく流すことにより高速流れを発生させ、周囲の空気を吸引して真空を発生させる仕組みになっている。
【００２２】
まず、図１に示す吸引動作について説明する。電磁切換え弁である吸引／吹出し切換え弁３１を吸引側に切り換え、吸引入／切弁３２を入にする。圧縮エアー源３６から圧縮されたエアーが真空生成装置３３に送り込まれると、真空生成装置３３が基板吸引装置３内の空気を吸引する。吸引された空気は、消音器３４を通して排気される。
【００２３】
次に、図２に示す吹出し動作について説明する。吸引／吹出し切換え弁３１を吹出し側に切り換え、吸引入／切弁３２を切にする。圧縮エアー源３６から流れ込んだエアーは、吹出し量調整絞り弁３５により空気の流量を調節され、Ａ点を通過して基板吸引装置３内に送り込まれる。
【００２４】
上記構成を有する基板位置決め装置１では、まずクリーム半田印刷機の図示しない搬送機構により、基板１０が基板吸引装置３の吸引面１８の上に搬送される。このとき、基板１０の搬送方向は図１の紙面奥から手前方向である。
ローラユニット移動用モータ６によりローラユニット移動用リードスクリュー５が回転し、ローラユニット移動用リードスクリュー５全体に施された螺旋状の溝５ａ、５ａ・・・に導かれ、所定の待機位置で待機していたローラユニット７がガイドレール４に沿って右方に移動する。
図１には押し付けローラ１１が基板１０に当接している状態を示したが、ローラユニット７が右方へ移動しているときは、押し付けローラ１１は押し付けローラ昇降装置１５により持ち上げられており、基板１０には接していない。その後、押し付けローラ１１が基板１０上にくるとローラユニット移動用モータ６が停止し、それに伴いローラユニット７が停止する。
【００２５】
押し付けローラ昇降装置１５により、押し付けローラ１１が基板１０に接するまで、ピン９を軸として支持部材８が下げられる。押し付けローラ１１が基板１０に接触すると、押し付けローラ駆動モータ１２が駆動し、ベルト１３で連結された押し付けローラ１１が図１では反時計回りに回転する。吸引面１８上の基板１０は押し付けローラ１１の回転と共に、縁部１０ｂが基準ブロック１９に突き当たるまで右方へ移動する。このとき、吸引面１８の吸引口１８ａ、１８ａ・・・からはエアーが吹き出しているので、基板１０と吸引面１８との間の摩擦力は小さくなり、基板１０がスムーズに移動する。
基準ブロック１９に突き当てられた基板１０は、一時的にその場所で位置を決められる。このとき押し付けローラ１１は、基板１０の上面１０ａをこすりながら空回りしている。基板１０の位置が決定されると、基板吸引装置３に備えられた真空生成装置３３による吸引が始まり、基板１０は吸引面１８に固定されると共に押し付けローラ１１の回転が停止する。
押し付けローラ１１は、押し付けローラ昇降装置１５により支持部材８を介して持ち上げられ、基板１０から離れる。その後、ローラユニット７はローラユニット移動用モータ６により所定の待機位置（マスクと重ならない位置）へ移動する。
【００２６】
基板１０の位置決め終了後、クリーム半田印刷機は所定パターンの開口部を有するマスクを基板１０に密着させ、このマスク上面に沿ってスキージを摺動させることにより、マスク上面に供給したクリーム半田をマスクの開口部から基板１０の上面１０ａに押し出して塗布する。
基板１０とマスクの密着のさせ方は、基板吸引装置３の下方に設けられた図示しない昇降装置により基板１０が上昇して、マスクに押しつけられるか、またはマスクが下降して基板１０に押しつけられることにより行われる。
【００２７】
ところで、このマスクと基板１０の上面１０ａには、マスクと基板１０の位置を合わせるための基準マークが印されており、基板１０上の基準マークの位置と、マスク上の基準マークの位置とが一致しているかどうかを確認するカメラが、マスクと基板１０の間に移動するように設けられている。
基板位置決め装置１における基板移動装置２は、前記カメラが進入する際の基板１０とマスクとの間隔に収まるように構成されている。
【００２８】
ここで、図１においてクリーム半田印刷機における基板１０の搬送方向を前後、この前後方向に垂直であるローラユニット７の移動方向を左右とする。このとき、基板１０は後ろから前に搬送され、ローラユニット７は左から右へ移動する。
基板移動装置２のガイドレール４は、基板１０の搬送方向と垂直に、基板１０の前側と後側に、基板１０を跨ぐようにして設けられており（図１では一方のみ図示）、基板１０とは重ならないようになっている。
ガイドレール４の幅は基板の幅より充分に広いので、位置決め終了後にローラユニット７は基板１０と重ならないところまで移動でき、印刷時には邪魔にならないようになっている。
なお、ガイドレール４を、基板１０の前後どちらか一方に設ける構成としてもよい。
【００２９】
第１の実施の形態における基板位置決め装置１によれば、押し付けローラ１１は、吸引面１８上に搬送されてきた基板１０を、端部１０ｂが押し当てられる基準ブロック１９のすぐ近くまで、上から押さえながら移動させる。従って、基板１０の剛性が低くても、基板１０を上から押さえながら移動させるので基板１０が撓むことがない。つまり、基板吸引装置３の吸引面１８と基板１０との間に隙間Ｗができないので、基板１０は基板吸引装置３により確実に吸引され、固定される。
【００３０】
なお、本発明は上記実施の形態に限定されるものではない。
例えば、上記実施の形態における押し付けローラ１１は１個であるが、搬送する基板の大きさによって適宜変更可能であり、２個以上でもよい。
また、基板の配線パターンを考慮して、押し付けローラ１１が押し付けても問題ないところを押しつけるように、押し付けローラ１１の位置を変更することができるように制御するものとしてもよい。
【００３１】
〔第２の実施の形態〕
図３は、本発明の第２の実施の形態としての基板位置決め装置４１の要部を示す模式図である。なお、第１の実施の形態と同様の構成要素については同一符合を付し、その説明は省略する。また、クリーム半田印刷機と基板移動装置４２（基板位置決め手段）の位置関係も第１の実施の形態と同様であるので省略する。
【００３２】
第２の実施の形態における基板位置決め装置４１は、第１の実施の形態における基板位置決め装置１のローラユニット７の代わりにクランプユニット２０を用いたものである。
クランプユニット２０は、所定の力で基板１０を押しつけるクランプパット２２（当接体）、クランプパット２２を上下方向に往復移動させることが可能なクランプパット昇降装置２１（押圧手段）等からなる。クランプユニット２０は、クランプユニット移動用モータ２３（移動手段）によって駆動されるものであり、上下２本の平行なガイドレール４、４と、その間に挟まれたクランプユニット移動用リードスクリュー２４に沿って水平に往復移動が可能である。このように２本のガイドレール４、４で支えることによりクランプユニット２０は安定し、より確実に動作できる。
なお、ガイドレール４、４は、第１の実施の形態と同様にマスクの前後にそれぞれ設けられていてもよい。
【００３３】
第１の実施の形態と同様に、まず基板１０が基板吸引装置３の吸引面１８に、図３の紙面奥から手前方向に搬送されてくる。ガイドレール４、４の左端に待機していたクランプユニット２０が、クランプユニット移動用モータ２３により基板１０に接触可能な位置まで移動し、クランプパット昇降装置２１によりクランプパット２２が、基板１０の上面１０ａに所定の力で押し当てられる。
クランプユニット２０はクランプユニット移動用モータ２３により駆動され、右方へ移動する。このとき、クランプパット２２が基板１０に押し付けられるように当接しているため、基板１０もクランプユニット２０と共に右方に移動し、その縁部１０ｂは基準ブロック１９に押し当てられる。位置が決められた基板１０は基板吸引装置３により固定され、クランプパット２２はクランプパット昇降装置２１により上昇し、クランプユニット２０は左方へ移動して元の待機位置に戻る。
【００３４】
第２の実施の形態における基板位置決め装置４１によれば、クランプパット２２は、基板１０の上面１０ａに力をかけながら移動させて位置決めをするので、基板１０が可撓性を有している場合でも基板１０は撓むことがない。従って、基板１０と基板吸引装置３の吸引面１８との間に隙間Ｗができないのでエアーが漏れることなく基板吸引装置３内は真空になる。よって、基板吸引装置３により吸引された基板１０は、所定の位置に確実に固定されるので、印刷不良を防ぐことができる。
また、クランプパット２２は基板１０の一箇所のみを押さえるので、配線パターンが複雑な基板等にも対応できる。
【００３５】
なお、本発明は上記実施の形態に限定されることはない。
例えば、上記実施の形態におけるクランプパット２２は１個であるが、第１の実施の形態と同様に、移動させる基板の大きさによって適宜変更可能であり、２個以上でもよい。
また、第１の実施の形態と同様に、基板１０の位置決め時に、基板吸引装置３からエアーを吹出すものとしてもよい。
【００３６】
〔第３の実施の形態〕
図４は、本発明の第３の実施の形態としての基板位置決め装置５１の要部を示す模式図である。なお、本実施の形態は、本発明の第２の実施の形態における基板位置決め装置４１のクランプパット２２の代わりに、摩擦負荷を備えた押し付けローラ５３（従動ローラ）を用いた構成となっている。
なお、第３の実施の形態のクリーム半田印刷機の基板位置決め装置５１は、構造的には、第１の実施の形態の基板位置決め装置１とほぼ同様の構成となっており、第３の実施の形態の基板位置決め装置５１の基板移動装置５２は、第１の実施の形態の基板移動装置２のローラユニット７の押し付けローラ１１に代えて、ローラユニット５４に、回転駆動されずに摩擦板２５により回転を規制された押し付けローラ５３を設けた構成となっている。
従って、第１及び第２の実施の形態と同様の構成要素には、同一の符号を付してその説明を省略する。
押し付けローラ５３のローラ軸５３ａは、Ｕ字状の摩擦板２５（規制手段）に回転可能に挟まれている。摩擦板２５は、２つの部材２５ａ、２５ｂによってＵ字型に形成されており、これらの部材２５ａ、２５ｂはピン５５によって互いに回動自在に留められている。２つの部材２５ａ、２５ｂの間にはスプリング２６が取り付けられており、２つの部材２５ａ、２５ｂが互いに近づくように付勢されている。
前記摩擦板２５と前記スプリング２６により、押し付けローラ５３は所定の力がかかるまで回転しないように調節されている。
【００３７】
基板吸引装置３の吸引面１８に搬送されてきた基板１０の上面１０ａに、押し付けローラ昇降装置１５により下降してきた押し付けローラ５３が接触し、ローラユニット移動用モータ６によりローラユニット５４が右方へ移動する。この時、摩擦板２５はローラ軸５３ａを挟みこんでいるので、摩擦板２５とローラ軸５３ａの間に摩擦が生じ、押し付けローラ５３は回転しない。よって、押し付けローラ５３は基板１０を押さえたまま回転せず、基板１０と共に移動する。
基板１０の縁部１０ｂが基準ブロック１９に当接すると基板１０の移動は停止し、摩擦板２５とローラ軸５３ａの間の摩擦力よりも、押し付けローラ５３の回転しようとする力が大きくなるので回転を始め、基板１０が基板吸引装置３に固定された際に押し付けローラ５３の移動が停止する。
【００３８】
第３の実施の形態における基板位置決め装置５１によれば、押し付けローラ５３は、基板１０を移動させる時には回転しないが、基板１０の位置決め後は回転する。
従って、第１、第２の実施の形態と同様の効果が得られると共に、押し付けローラ５３は基板位置決め後に回転しながら基板１０上を移動するので、基板１０が停止したときの勢いで基板１０の上面１０ａを擦ることがなく、基板１０にダメージを与える可能性は低い。よって、柔軟性や可撓性を有した基板など、様々な種類の基板に対応できる。
【００３９】
【発明の効果】
請求項１に記載の発明によれば、クリーム半田印刷機において、基板位置決め手段は基板の上面に当接して、基準部材まで移動させる。従って、基板は移動している間中、上から押さえられる力がかかり、従来のように両縁部に力がかからないので基板が可撓性を有する場合でも撓むことがない。
よって、基板と基板吸着手段との間に隙間ができることはなく、基板は確実に基板吸着手段に吸引されて正確な位置に固定されるので、クリーム半田の印刷品質が向上する。
さらに、基板が撓んで基板吸着手段に固定されないために一連の印刷工程が停止することもないので、クリーム半田印刷機の生産性を向上させることができる。
【００４０】
請求項２に記載の発明によれば、駆動ローラは押圧手段により基板上面に押し付けられ、回転駆動手段により回転する。この回転に伴い、基板は基準部材に向かって移動する。従って、請求項１と同様の効果を奏することができる。
【００４１】
請求項３に記載の発明によれば、当接体は基板を上から押さえながら所定の基準部材に突き当たるまで移動させるので、基板は所定の位置に達するまで上から力をかけられていることになる。よって、請求項１と同様の効果を奏することができる。
また、当接体は基板上面の所定の一箇所のみを押さえ、基板上を移動することがないので、基板が柔軟性を有していたり多数の配線パターンが施されている場合にも適している。つまり、基板上の押さえられても影響の少ないところを選択でき、かつ押さえられる場所は最小限であることから、基板に与えるダメージを減らすことができる。
【００４２】
請求項４に記載の発明によれば、従動ローラは基板を上から押さえながら移動させる際には回転せず、基板が基準ブロックに突き当たって移動を停止した際には回転を始める。従って、請求項１と同様の効果を奏することができる。
また、前記従動ローラは、基板停止後は回転するので、基板が停止したときの勢いで従動ローラが基板を擦ることがなく、基板にかける負担は少なくて済む。従って、厚さの薄い基板や柔軟性のある基板等、様々な種類に基板に対応できる。
【００４３】
請求項５に記載の発明によれば、空気吹出手段は基板が基板吸着手段の上面部を移動する際に吹出し動作を行うため、上面部と基板との間の摩擦力を減らすことができる。従って、基板は上面部の上をスムーズに動くことができるので、駆動ローラや当接体、従動ローラが基板上を動くときは、駆動ローラ等だけが基板上を移動するということはなく、基板も共に移動できる。
【図面の簡単な説明】
【図１】本発明の一例としてのクリーム半田印刷機の基板位置決め装置の要部を示す模式図である。
【図２】上記クリーム半田印刷機の基板吸引装置の真空発生装置が吹出し動作をする場合の回路図である。
【図３】本発明の他の例としてのクリーム半田印刷機の基板位置決め装置の要部を示す模式図である。
【図４】本発明の他の例としてのクリーム半田印刷機の基板位置決め装置の要部を示す模式図である。
【図５】（ａ）は従来の基板位置決め装置の要部を示す模式図であり、（ｂ）は（ａ）の基板位置決め装置において、基板が撓んでしまうときの様子を示す図である。
【符号の説明】
１、４１、５１      基板位置決め装置
２、４２、５２      基板移動装置
３      基板吸引装置（基板吸着手段）
１０    基板
１０ａ      上面
１０ｂ、１０ｃ      縁部
１１、５３    押し付けローラ（駆動ローラ、従動ローラ）
１２    押し付けローラ駆動モータ（回転駆動手段）
１５    昇降装置（押圧手段）
１８    吸引面（上面部）
１８ａ      吸引口
１９    基準ブロック（基準部材）
２１    クランプパット昇降装置（押圧手段）
２２    クランプパット（当接体）
２３    クランプユニット移動用モータ（移動手段）
２５    摩擦板（規制手段）
４０    真空発生装置（空気吹出手段）
【図１】
0004636742.tif 000002
【図２】
0004636742.tif 000003
【図３】
0004636742.tif 000004
【図４】
0004636742.tif 000005
【図５】
0004636742.tif 000006